(57)【要約】【課題】天板に操作部を配置した加熱調理器であって、天板を本体ケーシングから容易に取り外すことができると共に、天板を水洗い等し易い加熱調理器を提供する。【解決手段】上面が開口する略箱状をした本体ケーシング１と、本体ケーシング１の上端部に配設して該本体ケーシング１の上面の開口１０を閉塞する天板２と、調理物を加熱する加熱手段３と、加熱手段３による加熱調理をするための操作を行う操作部４と、を備えた加熱調理器Ａである。本体ケーシング１の上面の開口１０の一部に上方に突出又は露出するように操作部４を設け、天板２を平面視において前記操作部４を避けた位置に設ける。【選択図】図１
2009300056.tif 000002
【特許請求の範囲】
【請求項１】
上面が開口する略箱状をした本体ケーシングと、本体ケーシングの上端部に配設して該本体ケーシングの上面の開口を閉塞する天板と、調理物を加熱する加熱手段と、加熱手段による加熱調理をするための操作を行う操作部と、を備えた加熱調理器であって、本体ケーシングの上面の開口の一部に上方に突出又は露出するように操作部を設け、天板を平面視において前記操作部を避けた位置に設けて成ることを特徴とする加熱調理器。
【発明の詳細な説明】
【技術分野】
【０００１】
本発明は、ガス調理器や電磁調理器等の加熱調理器に関するものである。
【背景技術】
【０００２】
ガス調理器（例えば特許文献１）や電磁調理器といった加熱調理器の多くは、本体ケーシングの天板に加熱手段を備えると共に、本体ケーシングの前面や天板に操作部を配置してある。本体ケーシングの前面に操作部を配置したものは、操作する際に本体ケーシングの前方から操作部を見て操作しなければならず、操作する際に使用者が立ち位置や姿勢を変える必要があるのに対し、天板に操作部を配置したものは、本体ケーシングの上方より操作部を見て操作すればよいため、使用者が立ち位置や姿勢を変える必要がなくて操作し易い。このため、天板に操作部を配置したものが好適に使用されている。
【０００３】
天板に操作部を設ける特許文献１に示される従来の加熱調理器Ａでは、図４に示すように、天板２に操作部４を固定し、この操作部４と本体ケーシング１内に収納された制御部とを配線５で接続し、天板２を本体ケーシング１に取り付けることで設けてある。配線５の接続にあたっては、配線５の途中にコネクタ５０を設けてあり、このコネクタ５０を着脱することにより行っている。
【０００４】
しかしながら、上記従来例にあっては、メンテナンス時や天板２を本体ケーシング１から取り外して清掃する場合に、天板２と本体ケーシング１との間に配線５が設けてあり、天板２を持ち上げた状態でこの配線５の接続部のコネクタ５０を外したりする作業があり、容易に取り外すことができず、また、天板２を本体ケーシング１から取り外しても天板２に操作部４が固定してあるため、水や洗剤により洗う際に操作部４の配線基板等に水や洗剤がかかって損傷する惧れがあり、天板２を本体ケーシング１に取り付ける時には再び配線５のコネクタ５０を装着しなければならず、天板２の着脱作業が面倒なものであった。
【特許文献１】特開２００５−９８５３９号公報
【発明の開示】
【発明が解決しようとする課題】
【０００５】
本発明は上記の点に鑑みてなされたものであり、その目的とするところは、天板に操作部を配置した加熱調理器であって、天板を本体ケーシングから容易に着脱することができると共に、天板を水洗い等し易い加熱調理器を提供することにある。
【課題を解決するための手段】
【０００６】
上記課題を解決するために請求項１に係る発明は、上面が開口する略箱状をした本体ケーシング１と、本体ケーシング１の上端部に配設して該本体ケーシング１の上面の開口１０を閉塞する天板２と、調理物を加熱する加熱手段３と、加熱手段３による加熱調理をするための操作を行う操作部４と、を備えた加熱調理器Ａであって、本体ケーシング１の上面の開口１０の一部に上方に突出又は露出するように操作部４を設け、天板２を平面視において前記操作部４を避けた位置に設けて成ることを特徴とするものである。
【０００７】
このような構成とすることで、天板２を本体ケーシング１の上面の開口１０に設けた際に、本体ケーシング１に設けた操作部４が上方に突出又は露出することとなり、天板２に操作部４を固定する必要がなく、天板２を容易に本体ケーシング１に着脱することができると共に、天板２に操作部４が固定されていないため天板２のみを洗うことができて、水洗い等の手入れがし易くなるものである。
【発明の効果】
【０００８】
本発明にあっては、天板を本体ケーシングの上面の開口に設けた際に、本体ケーシングに設けた操作部が上方に突出又は露出することとなり、天板に操作部を固定する必要がなく、天板を容易に本体ケーシングに着脱することができると共に、天板に操作部が固定されていないため天板のみを洗うことができて、水洗い等の手入れがし易くなるものである。
【発明を実施するための最良の形態】
【０００９】
以下、本発明について添付図面に示す実施形態に基づいて説明する。本発明の加熱調理器Ａとしては、ガスこんろを備えたガス調理器や、誘導加熱により被加熱調理器具を加熱する所謂ＩＨ電磁調理器が挙げられるが、限定はされない。以下に説明する実施形態ではガス調理器として説明する。まず、ガス調理器の基本的な構成について説明する。
【００１０】
図１に示すガス調理器は、本体ケーシング１にガスこんろを備えると共に、グリルを備えているが、グリルは備えていなくてもよい。図１中符号１１は本体ケーシング１の前面に設けられるグリル扉である。本実施形態では、本体ケーシング１は上面が開口する略箱状をしており、本体ケーシング１の上端部に天板２を取り付けて上面の開口１０を閉塞し、略箱状の外殻を為している。天板２には、左側と右側とにガスこんろが一つづつ計二つ配設してある。勿論、ガスこんろは計一つであっても三つ以上であっても構わない。ガスこんろは、バーナ本体の上にバーナキャップを載置して周囲に炎口を有するガスバーナ３１で加熱手段３が構成されて本体ケーシング１内に収容してあり、天板２に形成したバーナ挿通用の開口２０を介して上方に露出している。天板２の前記開口１０の周囲には、複数の五徳爪を環状に配置した五徳（図示せず）が設けてある。このガスこんろは、五徳上に載置される調理物を収容した鍋やフライパン等の被加熱調理器Ａの底部の温度を計測してガスバーナ３１の燃焼制御を行うための温度センサー３２を備えている。温度センサー３２は、測温手段としてのサーミスタ等の感温部を上端部に設けてあり、ガスこんろの略中央部に配置されて、五徳上に載置される被加熱調理器具の底部に接触して温度を計測する。また天板２の後端部にはグリルからの排気を排出する排気口２３が形成してあり、排気口２３は本体ケーシング１内のグリルからの燃焼ガスを排気する排気筒１２の排気開口の上側に位置する。
【００１１】
天板２の前端部には、操作部４が配置される。操作部４は、本体ケーシング１に取り付けられていて、後述するが天板２を挿通させて又は天板２を避けて上方に突出又は露出するもので、各加熱手段３の作動・停止（すなわち本実施形態では各ガスこんろの点火・消火、電磁調理器の場合は加熱用コイルへの通電・停止）を行う入切操作部や、加熱量を調節する加熱量調節操作部や、各種調理モードによる調理を行う調理モード操作部や、各種設定等を行う設定操作部等の操作部があり、これらに替えて／加えて他の操作部を設けてもよい。この操作部４からの操作指令は本体ケーシング１内に収納した制御部により処理される。制御部は、操作部４からの指令により、図示しないが燃料ガスの燃料供給路の開閉弁の開閉や流量制御弁による燃料ガスの流量調整を行うことで、手動による加熱制御や、温度センサー３２の温度を基に各種の調理モードを実行する。
【００１２】
操作部４は、本体ケーシング１に取り付けられるもので、本実施形態では本体ケーシング１の前端近傍の上端部に本体ケーシング１から上方に突出するように操作部ケーシング４０を固定し、操作部ケーシング４０の上面に操作部４を配設している。また操作部４は、直接本体ケーシング１に取着して固定するのではなく、本体ケーシング１に固定されている他の部材に取着して固定することで、間接的に本体ケーシング１に固定してもよく、いずれにしても本体ケーシング１に一体的に固定するものである。
操作部４は、摘まみや押し釦４ａを上方に突出させて構成したり、あるいは操作部ケーシング４０の上面に、指で触れるとＯＮとなる静電容量式又は感圧式のスイッチ（所謂タッチパネル）を設けて構成してもよく、特に限定されない。そして、本体ケーシング１の上端部に天板２を取り付けても、本体ケーシング１に取り付けた操作部４が上方に突出又は露出するように、本発明にあっては、操作部４を避けた位置に天板２を配設するものである。
【００１３】
図１に示す加熱調理器では、操作部ケーシング４０を本体ケーシング１の上面の開口１０の前端部に左右方向の全長に亘って設けてあり、天板２を、本体ケーシング１の上面の開口１０の前記操作部ケーシング４０を設けた部分よりも後側に設けてある。このように前側の操作部ケーシング４０と後側の天板２とで、本体ケーシング１の上面の開口１０全面を閉塞している。
【００１４】
また図２に示す実施例では、操作部ケーシング４０を本体ケーシング１の上面の開口１０の前端部に左右方向の一部に設けてあり、天板２は、前記操作部ケーシング４０と干渉する部分に切欠２１を形成してある。そして、天板２を前記切欠２１に操作部ケーシング４０を挿通させた状態で本体ケーシング１の上端部に配設し、操作部ケーシング４０と天板２とで、本体ケーシング１の上面の開口１０全面を閉塞している。
【００１５】
また図３に示す実施例では、操作部ケーシング４０を本体ケーシング１の上面の開口１０の前端部よりも若干後方の左右方向の一部に設けてあり、天板２は、前記操作部ケーシング４０と干渉する内部に挿通口２２を形成してある。そして、天板２をその挿通口２２に操作部ケーシング４０を挿通させた状態で本体ケーシング１の上端部に配設し、操作部ケーシング４０と天板２とで、本体ケーシング１の上面の開口１０全面を閉塞している。
【００１６】
上記いずれの場合においても、天板２を平面視で前記操作部４を避けた位置に設けたことで、操作部４を本体ケーシング１側に固定しても、天板２を本体ケーシング１の上面の開口１０に配設した際に操作部４が天板２と干渉せず上方に突出又は露出させることができる。これにより、従来のように天板２に操作部４を固定する必要がなくなり、天板２を操作部４から分離させると共に従来のようにコネクタの着脱作業が不要となって、天板２を容易に本体ケーシング１に着脱することが可能となる。また、天板２のみを洗うことが可能となり、水や洗剤で洗う際に水や洗剤が操作部４に掛かる惧れがなく、水洗い等の手入れがし易くなるものである。
【図面の簡単な説明】
【００１７】
【図１】本発明の一実施形態の加熱調理器の概略斜視図である。
【図２】他例の加熱調理器の概略斜視図である。
【図３】更に他例の加熱調理器の概略斜視図である。
【図４】従来の加熱調理器の概略斜視図である。
【符号の説明】
【００１８】
１    本体ケーシング
１０  開口
２    天板
２０  バーナ挿通用の開口
２１  切欠
２２  挿通口
３    加熱手段
３１  ガスバーナ
３２  温度センサー
４    操作部
４０  操作部ケーシング
４ａ  押し釦
Ａ    加熱調理器
【図１】
2009300056.tif 000003
【図２】
2009300056.tif 000004
【図３】
2009300056.tif 000005
【図４】
2009300056.tif 000006